(57)【要約】【課題】  相手装置がクロック差を吸収する機能を有していない場合でも、相手装置のバッファにおける音声信号のオーバーフローや枯渇の発生を防止できるようにする。【解決手段】  ＩＰパケット受信部１により抽出された音声信号のサンプル数と音声再生部４により再生された音声信号のサンプル数を比較し、その比較結果に応じて音声信号の挿入又は間引きを指示するクロック差検出部５を設け、クロック差検出部５から挿入指示を受けると、相手装置に送信する音声信号に対する音声信号の挿入処理を実施し、クロック差検出部５から間引き指示を受けると、相手装置に送信する音声信号の間引き処理を実施する。【選択図】        図１
2005300765.tif 000002
【特許請求の範囲】
【請求項１】
相手装置から送信されたパケットを受信し、そのパケットから符号化されている音声信号を抽出するパケット受信手段と、上記パケット受信手段により抽出された音声信号を復号する音声復号手段と、上記音声復号手段により復号された音声信号を再生する音声再生手段と、上記パケット受信手段により抽出された音声信号のサンプル数と上記音声再生手段により再生された音声信号のサンプル数を比較し、その比較結果に応じて音声信号の挿入又は間引きを指示する指示手段と、相手装置に送信する音声信号を入力する音声入力手段と、上記指示手段から挿入指示を受けると、上記音声入力手段により入力された音声信号に対する音声信号の挿入処理を実施し、上記指示手段から間引き指示を受けると、上記音声入力手段により入力された音声信号の間引き処理を実施する送信音声信号調節手段と、上記送信音声信号調節手段による処理後の音声信号を符号化し、その音声信号をパケット化して相手装置に送信するパケット送信手段とを備えた音声伝送装置。
【請求項２】
指示手段は、パケット受信手段により抽出された音声信号のサンプル数が音声再生手段により再生された音声信号のサンプル数より多い場合、音声信号の挿入を送信音声信号調節手段に指示し、上記パケット受信手段により抽出された音声信号のサンプル数が上記音声再生手段により再生された音声信号のサンプル数より少ない場合、音声信号の間引きを上記送信音声信号調節手段に指示することを特徴とする請求項１記載の音声伝送装置。
【請求項３】
指示手段は、パケット受信手段により抽出された音声信号のサンプル数が音声再生手段により再生された音声信号のサンプル数よりも所定数以上多い場合、音声信号の挿入を送信音声信号調節手段に指示し、上記パケット受信手段により抽出された音声信号のサンプル数が上記音声再生手段により再生された音声信号のサンプル数よりも所定数以上少ない場合、音声信号の間引きを上記送信音声信号調節手段に指示することを特徴とする請求項１記載の音声伝送装置。
【請求項４】
指示手段から挿入指示を受けると、音声復号手段により復号された音声信号に対する音声信号の挿入処理を実施し、上記指示手段から間引き指示を受けると、上記音声復号手段により復号された音声信号の間引き処理を実施する受信音声信号調節手段を設けたことを特徴とする請求項１記載の音声伝送装置。
【請求項５】
指示手段は、パケット受信手段により抽出された音声信号のサンプル数が音声再生手段により再生された音声信号のサンプル数より少ない場合、音声信号の挿入を受信音声信号調節手段に指示し、上記パケット受信手段により抽出された音声信号のサンプル数が上記音声再生手段により再生された音声信号のサンプル数より多い場合、音声信号の間引きを上記受信音声信号調節手段に指示することを特徴とする請求項４記載の音声伝送装置。
【請求項６】
指示手段は、パケット受信手段により抽出された音声信号のサンプル数が音声再生手段により再生された音声信号のサンプル数よりも所定数以上少ない場合、音声信号の挿入を受信音声信号調節手段に指示し、上記パケット受信手段により抽出された音声信号のサンプル数が上記音声再生手段により再生された音声信号のサンプル数よりも所定数以上多い場合、音声信号の間引きを上記受信音声信号調節手段に指示することを特徴とする請求項４記載の音声伝送装置。
【請求項７】
相手装置から音声信号の調節機能を有することを示す通知情報を受信すると、送信音声信号調節手段又は受信音声信号調節手段のうちの何れか一方の処理を停止させる処理停止手段を設けたことを特徴とする請求項４記載の音声伝送装置。
【請求項８】
相手装置から音声信号の調節機能を有することを示す通知情報を受信すると、送信音声信号調節手段の処理と受信音声信号調節手段の処理を停止させる処理停止手段を設けたことを特徴とする請求項４記載の音声伝送装置。
【請求項９】
パケット送信手段は、音声信号の調節機能を有することを示す通知情報を音声信号に埋め込み、その通知情報を含む音声信号をパケット化して相手装置に送信することを特徴とする請求項４記載の音声伝送装置。
【請求項１０】
音声入力手段により入力された音声信号のサンプル数と音声再生手段により再生された音声信号のサンプル数との比率を算出する比率算出手段を設け、指示手段が上記比率算出手段により算出された比率に応じて送信音声信号調節手段及び受信音声信号調節手段に対する指示頻度を変更することを特徴とする請求項４から請求項９のうちのいずれか１項記載の音声伝送装置。
【請求項１１】
送信音声信号調節手段及び受信音声信号調節手段における処理の実施又は停止の設定を受け付ける設定受付手段を設けたことを特徴とする請求項４から請求項１０のうちのいずれか１項記載の音声伝送装置。
【請求項１２】
送信音声信号調節手段及び受信音声信号調節手段は、音声信号のサンプル単位で、音声信号の挿入処理又は間引き処理を実施することを特徴とする請求項４から請求項１１のうちのいずれか１項記載の音声伝送装置。
【請求項１３】
相手装置から送信されたパケットを受信し、そのパケットから符号化されている音声信号を抽出してバッファに格納するパケット受信手段と、上記バッファに格納されている音声信号を復号する音声復号手段と、上記音声復号手段により復号された音声信号を再生する音声再生手段と、上記バッファに格納されている音声信号の格納数が増加している場合、音声信号の挿入を指示し、その音声信号の格納数が減少している場合、音声信号の間引きを指示する指示手段と、相手装置に送信する音声信号を入力する音声入力手段と、上記指示手段から挿入指示を受けると、上記音声入力手段により入力された音声信号に対する音声信号の挿入処理を実施し、上記指示手段から間引き指示を受けると、上記音声入力手段により入力された音声信号の間引き処理を実施する送信音声信号調節手段と、上記送信音声信号調節手段による処理後の音声信号を符号化し、その音声信号をパケット化して相手装置に送信するパケット送信手段とを備えた音声伝送装置。
【発明の詳細な説明】
【技術分野】
【０００１】
この発明は、相手装置と音声信号を送受信する音声伝送装置に関するものである。
【背景技術】
【０００２】
従来の音声伝送装置は、ＩＰパケット受信部が相手装置（伝送相手の音声伝送装置）のクロックに同期して、その相手装置から送信されたＩＰパケットを受信すると、そのＩＰパケットから符号化されている音声信号を抽出してバッファに格納し、音声復号部がバッファに格納されている音声信号を内部クロックに同期して取り出し、その音声信号を復号する。
また、音声伝送装置のバッファ量監視部がバッファに格納されている音声信号の蓄積量を監視し、その蓄積量をバッファ制御部に通知する。
【０００３】
音声伝送装置のバッファ制御部は、相手装置のクロックが内部クロックよりも速い場合、バッファにおける音声信号の蓄積量が増加して、音声信号のオーバーフローが発生する可能性があるため、例えば、その蓄積量が予め設定された上限値を上回ると、そのバッファに格納されている音声信号の間引きを指示する。
一方、相手装置のクロックが内部クロックよりも遅い場合、バッファにおける音声信号の蓄積量が減少して、音声信号の枯渇を招く可能性があるため、例えば、その蓄積量が予め設定された下限値を下回ると、そのバッファに格納されている音声信号に対して無音の音声信号の挿入を指示する（例えば、特許文献１参照）。
【０００４】
【特許文献１】特開２００３−４６４９０号公報（段落番号［００２９］から［００３３］、図１）
【発明の開示】
【発明が解決しようとする課題】
【０００５】
従来の音声伝送装置は以上のように構成されているので、相手装置のクロックと内部クロックの差分を吸収して、バッファにおける音声信号のオーバーフローや枯渇の発生を防止することができる。しかし、相手装置がクロック差を吸収する機能を有していない限り、相手装置のバッファにおける音声信号のオーバーフローや枯渇の発生を防止することができないなどの課題があった。
【０００６】
この発明は上記のような課題を解決するためになされたもので、相手装置がクロック差を吸収する機能を有していない場合でも、相手装置のバッファにおける音声信号のオーバーフローや枯渇の発生を防止することができる音声伝送装置を得ることを目的とする。
【課題を解決するための手段】
【０００７】
この発明に係る音声伝送装置は、パケット受信手段により抽出された音声信号のサンプル数と音声再生手段により再生された音声信号のサンプル数を比較し、その比較結果に応じて音声信号の挿入又は間引きを指示する指示手段を設け、指示手段から挿入指示を受けると、相手装置に送信する音声信号に対する音声信号の挿入処理を実施し、その指示手段から間引き指示を受けると、相手装置に送信する音声信号の間引き処理を実施するようにしたものである。
【発明の効果】
【０００８】
この発明によれば、パケット受信手段により抽出された音声信号のサンプル数と音声再生手段により再生された音声信号のサンプル数を比較し、その比較結果に応じて音声信号の挿入又は間引きを指示する指示手段を設け、指示手段から挿入指示を受けると、相手装置に送信する音声信号に対する音声信号の挿入処理を実施し、その指示手段から間引き指示を受けると、相手装置に送信する音声信号の間引き処理を実施するように構成したので、相手装置がクロック差を吸収する機能を有していない場合でも、相手装置のバッファにおける音声信号のオーバーフローや枯渇の発生を防止することができる効果がある。
【発明を実施するための最良の形態】
【０００９】
実施の形態１．
図１はこの発明の実施の形態１による音声伝送装置を示す構成図であり、図において、ＩＰパケット受信部１は相手装置（伝送相手の音声伝送装置）がＩＰパケットをＩＰ網に送出すると、相手装置のクロックに同期して、そのＩＰ網からＩＰパケットを受信し、そのＩＰパケットから符号化されている音声信号を抽出してバッファ２に格納する。この例では、ＩＰパケット受信部１の外部にバッファ２が用意されているが、ＩＰパケット受信部１が内部にバッファ２を搭載していてもよい。なお、ＩＰパケット受信部１及びバッファ２からパケット受信手段が構成されている。
音声復号部３はバッファ２に格納されている音声信号を復号する。なお、音声復号部３は音声復号手段を構成している。
【００１０】
音声再生部４は例えばスピーカなどから構成されており、音声復号部３により復号されたデジタルの音声信号をアナログの音声信号に変換し、そのアナログの音声信号を再生する。なお、音声再生部４は音声再生手段を構成している。
クロック差検出部５はＩＰパケット受信部１により抽出された音声信号のサンプル数と音声再生部４により再生された音声信号のサンプル数を比較し、その比較結果に応じて音声信号の挿入又は間引きを指示する。即ち、クロック差検出部５はＩＰパケット受信部１により抽出された音声信号のサンプル数が音声再生部４により再生された音声信号のサンプル数より多い場合、音声信号の挿入指示を出力し、ＩＰパケット受信部１により抽出された音声信号のサンプル数が音声再生部４により再生された音声信号のサンプル数より少ない場合、音声信号の間引き指示を出力する。なお、クロック差検出部５は指示手段を構成している。
【００１１】
音声入力部６は例えばマイクなどから構成されており、そのマイクが音声を集音すると、そのアナログの音声信号をデジタルの音声信号に変換する。なお、音声入力部６は音声入力手段を構成している。
音声信号調節部７はクロック差検出部５から挿入指示を受けると、音声入力部６により変換されたデジタルの音声信号に対する音声信号の挿入処理を実施し、クロック差検出部５から間引き指示を受けると、音声入力部６により変換されたデジタルの音声信号の間引き処理を実施する。なお、音声信号調節部７は送信音声信号調節手段を構成している。
【００１２】
音声符号化部８は音声信号調節部７から出力された音声信号を符号化する。ＩＰパケット送信部９は音声符号化部８により符号化された音声信号をパケット化し、そのＩＰパケットをＩＰ網を介して相手装置に送信する。
なお、音声符号化部８及びＩＰパケット送信部９からパケット送信手段が構成されている。
図２はこの発明の実施の形態１による音声伝送装置の処理内容を示すフローチャートである。
【００１３】
次に動作について説明する。
最初に音声伝送装置が相手装置から送信されたＩＰパケットを受信して、そのＩＰパケットに含まれている音声信号を再生する場合の動作について説明する。
相手装置がＩＰパケットをＩＰ網に送出すると、ＩＰパケット受信部１が相手装置のクロックに同期して、ＩＰ網からＩＰパケットを受信する。
ＩＰパケット受信部１は、ＩＰ網からＩＰパケットを受信すると、そのＩＰパケットから例えば１０ｍｓｅｃ分（８０ｂｙｔｅ）の符号化音声信号を抽出し、その音声信号をバッファ２に格納する。
また、ＩＰパケット受信部１は、ＩＰパケットから符号化音声信号を抽出すると、その抽出した音声信号のサンプル数（８０サンプル）を通算受信サンプル数に加算する。
【００１４】
音声復号部３は、バッファ２に格納されている音声信号を取り出し、その音声信号を復号する。
音声復号部３の復号アルゴリズムとして、例えば、ＩＴＵ−Ｔ勧告Ｇ．７１１準拠の６４ｋｂｉｔ／ｓＰＣＭ方式を用いる場合、８ｂｙｔｅの符号化音声信号を１サンプル分のデジタル音声信号に復号する。
【００１５】
音声再生部４は、音声復号部３がデジタルの音声信号を復号すると、デジタルの音声信号をアナログの音声信号に変換する。例えば、８ｋＨｚのサンプリング周波数に基づいてデジタルの音声信号をアナログの音声信号に変換する。
音声再生部４は、そのアナログの音声信号をスピーカに出力することにより再生し、そのデジタルの音声信号のサンプル数を通算再生サンプル数に加算する。
【００１６】
次にマイクから集音された音声をパケット化して相手装置に送信する場合の動作について説明する。
音声入力部６は、マイクが音声を集音すると、そのアナログの音声信号をデジタルの音声信号に変換する。
例えば、８ｋＨｚのサンプリング周波数に基づいてアナログの音声信号をサンプリングし、アナログの音声信号をデジタルの音声信号に変換する。
【００１７】
クロック差検出部５は、ＩＰパケット受信部１により抽出された音声信号のサンプル数と音声再生部４により再生された音声信号のサンプル数を比較し、その比較結果に応じて音声信号の挿入又は間引きを音声信号調節部７に指示する。
具体的には次の通りである。
【００１８】
クロック差検出部５は、ＩＰパケット受信部１により計数されている通算受信サンプル数を取得するとともに（ステップＳＴ１）、音声再生部４により計数されている通算再生サンプル数を取得する（ステップＳＴ２）。
クロック差検出部５は、通算受信サンプル数と通算再生サンプル数を比較し（ステップＳＴ３）、その通算受信サンプル数が通算再生サンプル数より多い場合、相手装置のクロックが内部クロック（音声再生部４、音声入力部６、音声符号化部８、ＩＰパケット送信部９など、ＩＰパケット受信部１以外の音声伝送装置の各構成部が使用しているクロック）よりも速く、相手装置に送信する音声信号を増やさないと、相手装置のバッファにおける音声信号が枯渇する可能性があるので、音声信号の挿入指示を音声信号調節部７に出力する（ステップＳＴ４）。
【００１９】
クロック差検出部５は、通算受信サンプル数と通算再生サンプル数を比較し（ステップＳＴ３，ＳＴ５）、その通算受信サンプル数が通算再生サンプル数より少ない場合、相手装置のクロックが内部クロックよりも遅く、相手装置に送信する音声信号を減らさないと、相手装置のバッファにおいて音声信号がオーバーフローする可能性があるので、音声信号の間引き指示を音声信号調節部７に出力する（ステップＳＴ６）。
クロック差検出部５は、通算受信サンプル数と通算再生サンプル数が等しい場合、音声信号の挿入指示や間引き指示を音声信号調節部７に出力しない。
【００２０】
音声信号調節部７は、クロック差検出部５から音声信号の挿入指示や間引き指示を受けていないときは、相手装置のクロックと内部クロックが一致しているので、音声入力部６から出力されたデジタルの音声信号を変更することなく、そのデジタルの音声信号を音声符号化部８に出力する。
【００２１】
音声信号調節部７は、クロック差検出部５から音声信号の挿入指示を受けると、音声入力部６から出力されたデジタルの音声信号に対する音声信号の挿入処理を実施する。
例えば、音声入力部６から出力されたデジタルの音声信号のうち、最新の１サンプルを複製することにより、音声入力部６から出力されたデジタルの音声信号より１サンプル多いデジタルの音声信号を音声符号化部８に出力する。
【００２２】
音声信号調節部７は、クロック差検出部５から音声信号の間引き指示を受けると、音声入力部６から出力されたデジタルの音声信号の間引き処理を実施する。
例えば、音声入力部６から出力されたデジタルの音声信号のうち、最新の１サンプルを削除することにより、音声入力部６から出力されたデジタルの音声信号より１サンプル少ないデジタルの音声信号を音声符号化部８に出力する。
【００２３】
音声符号化部８は、音声信号調節部７からデジタルの音声信号を受けると、その音声信号を符号化する。
音声符号化部８の符号化アルゴリズムとして、例えば、ＩＴＵ−Ｔ勧告Ｇ．７１１準拠の６４ｋｂｉｔ／ｓＰＣＭ方式を用いる場合、１サンプル分のデジタルの音声信号を１ｂｙｔｅの符号化音声信号に符号化する。
【００２４】
ＩＰパケット送信部９は、音声符号化部８から符号化された音声信号を受けると、その音声信号をパケット化し、そのＩＰパケットをＩＰ網を介して相手装置に送信する。
即ち、ＩＰパケット送信部９は、音声符号化部８から出力された音声信号を内部バッファに蓄積し、その音声信号の蓄積量が予め設定されたデータ量に到達する毎に、その内部バッファに蓄積している音声信号をＩＰパケットの形式に組み立て、そのＩＰパケットをＩＰ網に送出する。ＩＰパケット送信部９は、例えば、１０ｍｓｅｃ分（８０ｂｙｔｅ）の符号化音声信号が蓄積される度にＩＰパケットを組み立てる。
【００２５】
以上で明らかなように、この実施の形態１によれば、ＩＰパケット受信部１により抽出された音声信号のサンプル数と音声再生部４により再生された音声信号のサンプル数を比較し、その比較結果に応じて音声信号の挿入又は間引きを指示するクロック差検出部５を設け、クロック差検出部５から挿入指示を受けると、相手装置に送信する音声信号に対する音声信号の挿入処理を実施し、クロック差検出部５から間引き指示を受けると、相手装置に送信する音声信号の間引き処理を実施するように構成したので、相手装置がクロック差を吸収する機能を有していない場合でも、相手装置のバッファにおける音声信号のオーバーフローや枯渇の発生を防止することができる効果を奏する。
【００２６】
なお、この発明の実施の形態１では、ＩＰパケット受信部１の後段にバッファ２が用意されているものについて示したが、音声再生部４が音声復号部３により復号された音声信号を格納する内部バッファを搭載するようにして、ＩＰパケット受信部１が音声信号を直接音声復号部３に出力するようにしてもよい。
【００２７】
また、この発明の実施の形態１では、通算受信サンプル数が通算再生サンプル数より多い場合、クロック差検出部５が音声信号の挿入指示を音声信号調節部７に出力し、通算受信サンプル数が通算再生サンプル数より少ない場合、クロック差検出部５が音声信号の間引き指示を音声信号調節部７に出力するものについて示したが、通算受信サンプル数と通算再生サンプル数の差分が一定の範囲内であれば、音声信号の挿入指示や間引き指示を音声信号調節部７に出力しないようにしてもよい。
【００２８】
したがって、クロック差検出部５は、通算受信サンプル数が通算再生サンプル数より所定数以上多い場合に、音声信号の挿入指示を音声信号調節部７に出力し、通算受信サンプル数が通算再生サンプル数より所定数以上少ない場合に、音声信号の間引き指示を音声信号調節部７に出力するようにする。
これにより、ＩＰパケットの受信タイミングの揺らぎによって一時的に通算受信サンプル数と通算再生サンプル数の差分が広がったような場合に、本来、不必要な音声信号の挿入や間引きが行われることを防止することができる効果を奏する。
【００２９】
また、この発明の実施の形態１では、クロック差検出部５が通算受信サンプル数と通算再生サンプル数を比較して、音声信号の挿入指示や間引き指示を音声信号調節部７に出力するものについて示したが、図３に示すように、クロック差検出部５がバッファ２に格納されている音声信号の格納数を監視し、その音声信号の格納数が増加している場合には、音声信号の挿入指示を音声信号調節部７に出力し、その音声信号の格納数が減少している場合には、音声信号の間引き指示を音声信号調節部７に出力するようにしてもよい。
【００３０】
具体的には、バッファ２における音声信号の格納数が増加して、その格納数が予め設定された上限値を上回ると、音声信号の挿入指示を音声信号調節部７に出力し、バッファ２における音声信号の格納数が格納数が減少して、その格納数が予め設定された下限値を下回ると、音声信号の間引き指示を音声信号調節部７に出力するようにする。
この場合も、相手装置のバッファにおける音声信号のオーバーフローや枯渇の発生を防止することができる。
【００３１】
実施の形態２．
図４はこの発明の実施の形態２による音声伝送装置を示す構成図であり、図において、図１と同一符号は同一または相当部分を示すので説明を省略する。
クロック差検出部１１はＩＰパケット受信部１により抽出された音声信号のサンプル数と音声再生部４により再生された音声信号のサンプル数を比較し、その比較結果に応じて音声信号の挿入又は間引きを指示する。即ち、クロック差検出部１１はＩＰパケット受信部１により抽出された音声信号のサンプル数が音声再生部４により再生された音声信号のサンプル数より多い場合、音声信号の挿入指示を音声信号調節部７に出力するとともに、音声信号の間引き指示を音声信号調節部１２に出力し、ＩＰパケット受信部１により抽出された音声信号のサンプル数が音声再生部４により再生された音声信号のサンプル数より少ない場合、音声信号の間引き指示を音声信号調節部７に出力するとともに、音声信号の挿入指示を音声信号調節部１２に出力する。なお、クロック差検出部１１は指示手段を構成している。
【００３２】
音声信号調節部１２はクロック差検出部１１から挿入指示を受けると、音声復号部３により復号されたデジタルの音声信号に対する音声信号の挿入処理を実施し、クロック差検出部１１から間引き指示を受けると、音声復号部３により復号されたデジタルの音声信号の間引き処理を実施する。なお、音声信号調節部１２は受信音声信号調節手段を構成している。
図５はこの発明の実施の形態２による音声伝送装置の処理内容を示すフローチャートである。
【００３３】
次に動作について説明する。
ただし、クロック差検出部１１及び音声信号調節部１２以外は、上記実施の形態１と同じであるため、主にクロック差検出部１１及び音声信号調節部１２の動作について説明する。
【００３４】
クロック差検出部１１は、ＩＰパケット受信部１により抽出された音声信号のサンプル数と音声再生部４により再生された音声信号のサンプル数を比較し、その比較結果に応じて音声信号の挿入又は間引きを音声信号調節部７，１２に指示する。
具体的には次の通りである。
【００３５】
クロック差検出部１１は、ＩＰパケット受信部１により計数されている通算受信サンプル数を取得するとともに（ステップＳＴ１）、音声再生部４により計数されている通算再生サンプル数を取得する（ステップＳＴ２）。
クロック差検出部１１は、通算受信サンプル数と通算再生サンプル数を比較し（ステップＳＴ３）、その通算受信サンプル数が通算再生サンプル数より多い場合、相手装置のクロックが内部クロックよりも速く、相手装置に送信する音声信号を増やさないと、相手装置のバッファにおける音声信号が枯渇する可能性があるので、音声信号の挿入指示を音声信号調節部７に出力する（ステップＳＴ１１）。
また、クロック差検出部１１は、その通算受信サンプル数が通算再生サンプル数より多い場合、音声再生部４が再生する音声信号を減らさないと、バッファ２において音声信号がオーバーフローする可能性があるので、音声信号の間引き指示を音声信号調節部１２に出力する（ステップＳＴ１１）。
【００３６】
クロック差検出部１１は、通算受信サンプル数と通算再生サンプル数を比較し（ステップＳＴ３，ＳＴ５）、その通算受信サンプル数が通算再生サンプル数より少ない場合、相手装置のクロックが内部クロックよりも遅く、相手装置に送信する音声信号を減らさないと、相手装置のバッファにおいて音声信号がオーバーフローする可能性があるので、音声信号の間引き指示を音声信号調節部７に出力する（ステップＳＴ１２）。
また、クロック差検出部１１は、その通算受信サンプル数が通算再生サンプル数より少ない場合、音声再生部４が再生する音声信号を増やさないと、バッファ２における音声信号が枯渇する可能性があるので、音声信号の挿入指示を音声信号調節部１２に出力する（ステップＳＴ１２）。
クロック差検出部１１は、通算受信サンプル数と通算再生サンプル数が等しい場合、音声信号の挿入指示や間引き指示を音声信号調節部７，１２に出力しない。
【００３７】
音声信号調節部７は、クロック差検出部１１から音声信号の挿入指示や間引き指示を受けていないときは、上記実施の形態１と同様に、相手装置のクロックと内部クロックが一致しているので、音声入力部６から出力されたデジタルの音声信号を変更することなく、そのデジタルの音声信号を音声符号化部８に出力する。
音声信号調節部７は、クロック差検出部１１から音声信号の挿入指示を受けると、上記実施の形態１と同様に、音声入力部６から出力されたデジタルの音声信号に対する音声信号の挿入処理を実施する。
音声信号調節部７は、クロック差検出部１１から音声信号の間引き指示を受けると、上記実施の形態１と同様に、音声入力部６から出力されたデジタルの音声信号の間引き処理を実施する。
【００３８】
音声信号調節部１２は、クロック差検出部１１から音声信号の挿入指示や間引き指示を受けていないときは、相手装置のクロックと内部クロックが一致しているので、音声復号部３により復号されたデジタルの音声信号を変更することなく、そのデジタルの音声信号を音声再生部４に出力する。
【００３９】
音声信号調節部１２は、クロック差検出部１１から音声信号の挿入指示を受けると、音声復号部３により復号されたデジタルの音声信号に対する音声信号の挿入処理を実施する。
例えば、音声復号部３により復号されたデジタルの音声信号のうち、最新の１サンプルを複製することにより、音声復号部３により復号されたデジタルの音声信号より１サンプル多いデジタルの音声信号を音声再生部４に出力する。
【００４０】
音声信号調節部１２は、クロック差検出部１１から音声信号の間引き指示を受けると、音声復号部３により復号されたデジタルの音声信号の間引き処理を実施する。
例えば、音声復号部３により復号されたデジタルの音声信号のうち、最新の１サンプルを削除することにより、音声復号部３により復号されたデジタルの音声信号より１サンプル少ないデジタルの音声信号を音声再生部４に出力する。
【００４１】
以上で明らかなように、この実施の形態２によれば、ＩＰパケット受信部１により抽出された音声信号のサンプル数が音声再生部４により再生された音声信号のサンプル数より多い場合、音声信号の挿入指示を音声信号調節部７に出力するとともに、音声信号の間引き指示を音声信号調節部１２に出力し、ＩＰパケット受信部１により抽出された音声信号のサンプル数が音声再生部４により再生された音声信号のサンプル数より少ない場合、音声信号の間引き指示を音声信号調節部７に出力するとともに、音声信号の挿入指示を音声信号調節部１２に出力するように構成したので、相手装置のバッファだけでなく、バッファ２における音声信号のオーバーフローや枯渇の発生を防止することができる効果を奏する。
【００４２】
なお、この発明の実施の形態２では、通算受信サンプル数が通算再生サンプル数より多い場合、クロック差検出部１１が音声信号の挿入指示を音声信号調節部７に出力するとともに、音声信号の間引き指示を音声信号調節部１２に出力し、通算受信サンプル数が通算再生サンプル数より少ない場合、クロック差検出部１１が音声信号の間引き指示を音声信号調節部７に出力するとともに、音声信号の挿入指示を音声信号調節部１２に出力するものについて示したが、通算受信サンプル数と通算再生サンプル数の差分が一定の範囲内であれば、音声信号の挿入指示や間引き指示を音声信号調節部７，１２に出力しないようにしてもよい。
【００４３】
したがって、クロック差検出部１１は、通算受信サンプル数が通算再生サンプル数より所定数以上多い場合に、音声信号の挿入指示を音声信号調節部７に出力するとともに、音声信号の間引き指示を音声信号調節部１２に出力し、通算受信サンプル数が通算再生サンプル数より所定数以上少ない場合に、音声信号の間引き指示を音声信号調節部７に出力するとともに、音声信号の挿入指示を音声信号調節部１２に出力するようにする。
これにより、ＩＰパケットの受信タイミングの揺らぎによって一時的に通算受信サンプル数と通算再生サンプル数の差分が広がったような場合に、本来、不必要な音声信号の挿入や間引きが行われることを防止することができると効果を奏する。
【００４４】
また、この発明の実施の形態２では、クロック差検出部１１が通算受信サンプル数と通算再生サンプル数を比較して、音声信号の挿入指示や間引き指示を音声信号調節部７，１２に出力するものについて示したが、図６に示すように、クロック差検出部１１がバッファ２に格納されている音声信号の格納数を監視し、その音声信号の格納数が増加している場合には、音声信号の挿入指示を音声信号調節部７に出力するとともに、音声信号の間引き指示を音声信号調節部１２に出力し、その音声信号の格納数が減少している場合には、音声信号の間引き指示を音声信号調節部７に出力するとともに、音声信号の挿入指示を音声信号調節部１２に出力するようにしてもよい。
【００４５】
具体的には、バッファ２における音声信号の格納数が増加して、その格納数が予め設定された上限値を上回ると、音声信号の挿入指示を音声信号調節部７に出力するとともに、音声信号の間引き指示を音声信号調節部１２に出力し、バッファ２における音声信号の格納数が減少して、その格納数が予め設定された下限値を下回ると、音声信号の間引き指示を音声信号調節部７に出力するとともに、音声信号の挿入指示を音声信号調節部１２に出力するようにする。
この場合も、相手装置のバッファだけでなく、バッファ２における音声信号のオーバーフローや枯渇の発生を防止することができる効果を奏する。
【００４６】
実施の形態３．
図７はこの発明の実施の形態３による音声伝送装置を示す構成図であり、図において、図３と同一符号は同一または相当部分を示すので説明を省略する。
通知情報抽出部２１はＩＰパケット受信部１により抽出された音声信号の中に、相手装置が音声信号の調節機能を有することを示す通知情報が埋め込まれている場合、相手装置が音声信号の調節機能を有している旨をクロック差吸収制御部２２に通知する。クロック差吸収制御部２２は通知情報抽出部２１から相手装置が音声信号の調節機能を有している旨の通知を受けると、音声信号調節部７における音声信号の挿入処理や間引き処理の実施を停止させるとともに、通知情報追加部２３における通知情報の追加処理を停止させる。なお、通知情報抽出部２１及びクロック差吸収制御部２２から処理停止手段が構成されている。
【００４７】
通知情報追加部２３は音声符号化部８により符号化された音声信号を蓄積し、その音声信号の蓄積量が予め設定されたデータ量に到達する毎に、その蓄積した音声信号に通知情報を埋め込んでＩＰパケット送信部９に出力する。なお、通知情報追加部２３はパケット送信手段を構成している。
【００４８】
上記実施の形態２では、相手装置が音声信号の調節機能を有するか否かに拘わらず、音声信号調節部７が音声信号の挿入処理や間引き処理を実施するものについて示したが、相手装置が音声信号の調節機能を有する場合、音声信号調節部７が音声信号の挿入処理や間引き処理を実施しないでも、相手装置のバッファにおける音声信号のオーバーフローや枯渇の発生を防止することができる。また、不必要な音声信号の挿入処理や間引き処理の実施は、音声品質の劣化要因になる。
そこで、この実施の形態３では、相手装置が音声信号の調節機能を有する場合、音声信号調節部７における音声信号の挿入処理や間引き処理の実施を停止するようにする。
【００４９】
以下、具体的に説明するが、通知情報抽出部２１、クロック差吸収制御部２２及び通知情報追加部２３以外は、上記実施の形態２と同じであるため、主に通知情報抽出部２１、クロック差吸収制御部２２及び通知情報追加部２３の動作について説明する。
【００５０】
まず、相手装置は、音声信号をパケット化して、そのＩＰパケットを音声伝送装置に送信するに際して、音声信号の調節機能を有するときは、その旨を示す通知情報を送信する取り決めがなされている場合、その音声信号に通知情報を埋め込んでパケット化する。
例えば、１０ｍｓｅｃ分（８０ｂｙｔｅ）の符号化音声信号の末尾１ｂｙｔｅに、ａｌｌ“０”の通知情報を埋め込んでパケット化する。ここでは、末尾１ｂｙｔｅに、ａｌｌ“０”の通知情報を埋め込むものについて示しているが、他の１ｂｙｔｅでもよいし、ａｌｌ“０”以外の通知情報でもよい。
【００５１】
ＩＰパケット受信部１は、ＩＰ網からＩＰパケットを受信すると、上記実施の形態２と同様に、そのＩＰパケットから例えば１０ｍｓｅｃ分（８０ｂｙｔｅ）の符号化音声信号を抽出し、その音声信号をバッファ２に格納する。
また、ＩＰパケット受信部１は、ＩＰパケットから符号化音声信号を抽出すると、上記実施の形態２と同様に、その抽出した音声信号のサンプル数（８０サンプル）を通算受信サンプル数に加算する。
さらに、ＩＰパケット受信部１は、その抽出した音声信号の末尾１ｂｙｔｅを通知情報抽出部２１に出力する。
【００５２】
通知情報抽出部２１は、ＩＰパケット受信部１から音声信号の末尾１ｂｙｔｅを受けると、その末尾１ｂｙｔｅがａｌｌ“０”であるか否かを判定し、その末尾１ｂｙｔｅがａｌｌ“０”であれば、相手装置が音声信号の調節機能を有していると判断する。
通知情報抽出部２１は、相手装置が音声信号の調節機能を有していると判断する場合、その旨をクロック差吸収制御部２２に通知する。
【００５３】
クロック差吸収制御部２２は、通知情報抽出部２１から相手装置が音声信号の調節機能を有している旨の通知を受けると、音声信号の挿入処理や間引き処理の停止指令を音声信号調節部７に出力する。
また、クロック差吸収制御部２２は、通知情報抽出部２１から相手装置が音声信号の調節機能を有している旨の通知を受けると、通知情報の追加処理の停止指令を通知情報追加部２３に出力する。
【００５４】
音声信号調節部７は、クロック差検出部１１から出力される指示の下、音声信号の挿入処理や間引き処理を実施するが、クロック差吸収制御部２２から音声信号の挿入処理や間引き処理の停止指令を受けると、音声信号の挿入処理や間引き処理の実施を停止し、音声入力部６から出力されたデジタルの音声信号を変更せずに、その音声信号をそのまま音声符号化部８に出力する。
即ち、音声信号調節部７は、相手装置が音声信号の調節機能を有している場合、音声入力部６から出力されたデジタルの音声信号を変更せずに、その音声信号をそのまま音声符号化部８に出力する。
【００５５】
音声符号化部８は、音声信号調節部７からデジタルの音声信号を受けると、上記実施の形態２と同様に、その音声信号を符号化する。
通知情報追加部２３は、音声符号化部８により符号化された音声信号を蓄積し、その音声信号の蓄積量が予め設定されたデータ量に到達する毎に、その蓄積した音声信号に自己（音声伝送装置）が音声信号の調節機能を有することを示す通知情報を埋め込んでＩＰパケット送信部９に出力する。
例えば、１０ｍｓｅｃ分（８０ｂｙｔｅ）の音声信号が蓄積されると、１０ｍｓｅｃ分（８０ｂｙｔｅ）の音声信号の末尾１ｂｙｔｅを、例えば、ａｌｌ“０”の通知情報に置き換えてＩＰパケット送信部９に出力する。
ただし、通知情報追加部２３は、クロック差吸収制御部２２から通知情報の追加処理の停止指令が出力される状況下では、音声信号調節部７における音声信号の挿入処理や間引き処理の実施が停止されているので、その蓄積した音声信号に通知情報を埋め込むことなく、その蓄積した音声信号をＩＰパケット送信部９に出力する。
【００５６】
ＩＰパケット送信部９は、通知情報追加部２３から音声信号を受けると、その音声信号をパケット化し、そのＩＰパケットをＩＰ網を介して相手装置に送信する。
これにより、相手装置は、音声伝送装置からＩＰ網を介してＩＰパケットを受信すると、そのＩＰパケットに含まれている音声信号を再生することができる。また、その音声信号に埋め込まれている通知情報を検出すると、音声伝送装置が音声信号の調節機能を有していることを認識し、自己（相手装置）の音声信号の調節機能を停止することができる。
【００５７】
以上で明らかなように、この実施の形態３によれば、ＩＰパケット受信部１により抽出された音声信号の中に、相手装置が音声信号の調節機能を有することを示す通知情報が埋め込まれている場合、音声信号調節部７における音声信号の挿入処理や間引き処理の実施を停止させるように構成したので、不必要な音声信号の挿入処理や間引き処理の実施が停止され、音声品質の劣化要因を排除することができる効果を奏する。
【００５８】
また、この実施の形態３によれば、ＩＰパケット受信部１により抽出された音声信号の中に、相手装置が音声信号の調節機能を有することを示す通知情報が埋め込まれている場合、通知情報追加部２３における通知情報の追加処理を停止させるように構成したので、相手装置における音声信号の調節処理を継続させることができる効果を奏する。
【００５９】
なお、この実施の形態３では、通知情報抽出部２１が音声信号に埋め込まれている通知情報を抽出すると、クロック差吸収制御部２２が直ちに音声信号の挿入処理や間引き処理の停止指令を音声信号調節部７に出力するとともに、通知情報の追加処理の停止指令を通知情報追加部２３に出力するものについて示したが、通知情報抽出部２１による通知情報の抽出回数が予め設定された回数に到達したとき、クロック差吸収制御部２２が音声信号の挿入処理や間引き処理の停止指令を音声信号調節部７に出力するとともに、通知情報の追加処理の停止指令を通知情報追加部２３に出力するようにしてもよい。
また、ＩＰパケット受信部１によりＩＰパケットが連続して受信された場合、通知情報抽出部２１が複数のＩＰパケットから予め設定された回数だけ連続して通知情報を抽出したとき、クロック差吸収制御部２２が音声信号の挿入処理や間引き処理の停止指令を音声信号調節部７に出力するとともに、通知情報の追加処理の停止指令を通知情報追加部２３に出力するようにしてもよい。
【００６０】
また、この実施の形態３では、通知情報抽出部２１が音声信号に埋め込まれている通知情報を抽出すると、クロック差吸収制御部２２が音声信号の挿入処理や間引き処理の停止指令を音声信号調節部７に出力するものについて示したが、クロック差吸収制御部２２が音声信号の挿入処理や間引き処理の停止指令を音声信号調節部１２に出力するようにしてもよい。
この場合も、不必要な音声信号の挿入処理や間引き処理の実施を停止して、音声品質の劣化要因を排除することができる効果を奏する。
【００６１】
さらに、この実施の形態３では、通知情報抽出部２１が音声信号に埋め込まれている通知情報を抽出すると、クロック差吸収制御部２２が音声信号の挿入処理や間引き処理の停止指令を音声信号調節部７に出力するものについて示したが、クロック差吸収制御部２２が音声信号の挿入処理や間引き処理の停止指令を音声信号調節部７と音声信号調節部１２の双方に出力するようにしてもよい。
この場合も、不必要な音声信号の挿入処理や間引き処理の実施を停止して、音声品質の劣化要因を排除することができる効果を奏する。
【００６２】
また、この実施の形態３では、通知情報追加部２３が１０ｍｓｅｃ分（８０ｂｙｔｅ）の音声信号の末尾１ｂｙｔｅを、例えば、ａｌｌ“０”の通知情報に置き換えてＩＰパケット送信部９に出力するものについて示したが、１０ｍｓｅｃ分（８０ｂｙｔｅ）の音声信号の無音部分を検出し、その無音部分に通知情報を埋め込むようにしてもよい。
これにより、相手装置における再生音声の品質劣化を抑制することができる効果を奏する。
【００６３】
また、この実施の形態３では、通知情報追加部２３が音声信号に通知情報を埋め込むものについて示したが、通知情報追加部２３が通知情報を音声信号に埋め込まずにＩＰパケット送信部９に出力し、ＩＰパケット送信部９が通知情報のみをパケット化して、そのＩＰパケットを相手装置に送信するようにしてもよい。
これにより、相手装置における再生音声の品質劣化を抑制することができる効果を奏する。
【００６４】
この実施の形態３では、通知情報抽出部２１が通知情報を抽出して、クロック差吸収制御部２２が通知情報の追加処理の停止指令を出力すると、通知情報追加部２３が通知情報を音声信号に埋め込む処理を停止するものについて示したが、通知情報抽出部２１が予め設定された時間より長い時間継続して通知情報を抽出することができない場合、クロック差吸収制御部２２が通知情報の追加処理の停止指令を出力するようにしてもよい。
この場合、相手装置が音声信号の調節機能を有していないために、相手装置における再生音声の品質劣化が長時間継続する事態を回避することができる効果を奏する。
【００６５】
また、この実施の形態３では、クロック差吸収制御部２２から通知情報の追加処理の停止指令を受けていなければ、通知情報追加部２３が音声信号をＩＰパケット送信部９に出力する毎に、その音声信号に通知情報を埋め込むものについて示したが、通知情報追加部２３が音声信号をＩＰパケット送信部９に出力する際、時々、その音声信号に通知情報を埋め込むようにしてもよい。
例えば、通知情報追加部２３が音声信号をＩＰパケット送信部９に出力する際、１０回に１回の割合で、その音声信号に通知情報を埋め込むようにしてもよい。
これにより、変更される音声信号が減少するため、相手装置における再生音声の品質劣化を抑制することができる効果を奏する。
【００６６】
実施の形態４．
図８はこの発明の実施の形態４による音声伝送装置を示す構成図であり、図において、図３と同一符号は同一または相当部分を示すので説明を省略する。
クロック比率算出部３１は音声入力部６により入力された音声信号のサンプル数と音声再生部４により再生された音声信号のサンプル数との比率を算出する。なお、クロック比率算出部３１は比率算出手段を構成している。
クロック差検出部３２は図３のクロック差検出部１１と同様に、音声信号の挿入指示や間引き指示を音声信号調節部７，１２に出力する機能を備え、また、クロック比率算出部３１により算出された比率に応じて、音声信号調節部７，１２に出力する指示頻度を変更する機能を備えている。なお、クロック差検出部３２は指示手段を構成している。
【００６７】
次に動作について説明する。
ただし、クロック比率算出部３１及びクロック差検出部３２以外は、上記実施の形態２と同じであるため、主にクロック比率算出部３１及びクロック差検出部３２の動作について説明する。
【００６８】
音声再生部４及び音声入力部６は、同じ内部クロックに期して動作するが、音声再生部４に与えられる内部クロックの周波数と、音声入力部６に与えられる内部クロックの周波数がずれている場合がある。
この実施の形態４では、音声再生部４に与えられる内部クロックの周波数と、音声入力部６に与えられる内部クロックの周波数がずれている場合に対処するため、次のようにしている。
【００６９】
音声再生部４は、音声復号部３がデジタルの音声信号を復号すると、上記実施の形態２と同様に、デジタルの音声信号をアナログの音声信号に変換するとともに、そのデジタルの音声信号のサンプル数を通算再生サンプル数に加算する。
一方、音声入力部６は、マイクが音声を集音すると、そのアナログの音声信号をデジタルの音声信号に変換するとともに、そのデジタルの音声信号のサンプル数を通算録音サンプル数に加算する。
【００７０】
クロック比率算出部３１は、音声再生部４により計数されている通算再生サンプル数を取得するとともに、音声入力部６により計数されている通算録音サンプル数を取得する。
そして、クロック比率算出部３１は、その通算再生サンプル数と通算録音サンプル数の比率を算出することにより、音声再生部４に与えられる内部クロックと、音声入力部６に与えられる内部クロックとの比率を算出する。
【００７１】
クロック差検出部３２は、図３のクロック差検出部１１と同様に、音声信号の挿入指示や間引き指示を音声信号調節部７，１２に出力するが、クロック比率算出部３１により算出された比率に応じて、音声信号調節部７，１２に出力する指示頻度を変更する。
例えば、クロック比率算出部３１により算出された比率が［２：１＝音声再生部４の内部クロック：音声入力部６の内部クロック］である場合、音声信号調節部７に音声信号の挿入／間引きを１回指示すると、音声信号調節部１２には音声信号の挿入／間引きを２回指示するようにする。
【００７２】
以上で明らかなように、この実施の形態４によれば、音声入力部６により入力された音声信号のサンプル数と音声再生部４により再生された音声信号のサンプル数との比率を算出するクロック比率算出部３１を設け、クロック差検出部３２がクロック比率算出部３１により算出された比率に応じて音声信号調節部７，１２に出力する指示頻度を変更するように構成したので、音声再生部４に与えられる内部クロックの周波数と、音声入力部６に与えられる内部クロックの周波数がずれている場合でも、相手装置のバッファにおける音声信号のオーバーフローや枯渇の発生を防止することができる効果を奏する。
【００７３】
実施の形態５．
図９はこの発明の実施の形態５による音声伝送装置を示す構成図であり、図において、図３と同一符号は同一または相当部分を示すので説明を省略する。
設定受付部４１は音声信号調節部７，１２における音声信号の挿入処理や間引き処理の実施又は停止の設定を受け付ける機能を備えている。なお、設定受付部４１は設定受付手段を構成している。
クロック差検出部４２は図３のクロック差検出部１１と同様に、音声信号の挿入指示や間引き指示を音声信号調節部７，１２に出力する機能を備え、また、設定受付部４１により実施設定がなされている場合には、音声信号の挿入指示や間引き指示を音声信号調節部７，１２に出力し、設定受付部４１により停止設定がなされている場合には、音声信号の挿入指示や間引き指示を音声信号調節部７，１２に出力しない機能を備えている。なお、クロック差検出部４２は指示手段を構成している。
【００７４】
次に動作について説明する。
ただし、設定受付部４１及びクロック差検出部４２以外は、上記実施の形態２と同じであるため、主に設定受付部４１及びクロック差検出部４２の動作について説明する。
【００７５】
上記実施の形態２では、図３のクロック差検出部１１が自動的に音声信号の挿入指示や間引き指示を音声信号調節部７，１２に出力するが、ユーザが音声信号の挿入処理や間引き処理の実施を希望しない場合がある。
この実施の形態５では、ユーザが音声信号の挿入処理や間引き処理の実施を希望する場合に限り、クロック差検出部４２が音声信号の挿入指示や間引き指示を音声信号調節部７，１２に出力するようにしている。
【００７６】
具体的には次の通りである。
ユーザは設定受付部４１を操作して、処理の実施又は停止を設定する。
即ち、設定受付部４１は、ユーザの操作を受け付けて、音声信号調節部７における音声信号の挿入処理や間引き処理の実施／停止を設定する。また、音声信号調節部１２における音声信号の挿入処理や間引き処理の実施／停止を設定する。
【００７７】
クロック差検出部４２は、上記実施の形態２と同様にして、音声信号の挿入指示や間引き指示を音声信号調節部７，１２に出力する状況下になった場合において、設定受付部４１における音声信号調節部７の設定受付内容が“実施”であれば、音声信号の挿入指示や間引き指示を音声信号調節部７に出力する。
また、設定受付部４１における音声信号調節部１２の設定受付内容が“実施”であれば、音声信号の挿入指示や間引き指示を音声信号調節部１２に出力する。
したがって、設定受付部４１における音声信号調節部７の設定受付内容が“停止”であれば、音声信号の挿入指示や間引き指示を音声信号調節部７に出力しない。
また、設定受付部４１における音声信号調節部１２の設定受付内容が“停止”であれば、音声信号の挿入指示や間引き指示を音声信号調節部１２に出力しない。
【００７８】
以上で明らかなように、この実施の形態５によれば、設定受付部４１が音声信号調節部７，１２における音声信号の挿入処理や間引き処理の実施又は停止の設定を受け付けるように構成したので、ユーザが希望する場合に限り、音声信号の挿入処理や間引き処理を実施することができる効果を奏する。
【図面の簡単な説明】
【００７９】
【図１】この発明の実施の形態１による音声伝送装置を示す構成図である。
【図２】この発明の実施の形態１による音声伝送装置の処理内容を示すフローチャートである。
【図３】この発明の実施の形態１による他の音声伝送装置を示す構成図である。
【図４】この発明の実施の形態２による音声伝送装置を示す構成図である。
【図５】この発明の実施の形態２による音声伝送装置の処理内容を示すフローチャートである。
【図６】この発明の実施の形態２による他の音声伝送装置を示す構成図である。
【図７】この発明の実施の形態３による音声伝送装置を示す構成図である。
【図８】この発明の実施の形態４による音声伝送装置を示す構成図である。
【図９】この発明の実施の形態５による音声伝送装置を示す構成図である。
【符号の説明】
【００８０】
１  ＩＰパケット受信部（パケット受信手段）、２  バッファ（パケット受信手段）、３  音声復号部（音声復号手段）、４  音声再生部（音声再生手段）、５  クロック差検出部（指示手段）、６  音声入力部（音声入力手段）、７  音声信号調節部（送信音声信号調節手段）、８  音声符号化部（パケット送信手段）、９  ＩＰパケット送信部（パケット送信手段）、１１  クロック差検出部（指示手段）、１２  音声信号調節部（受信音声信号調節手段）、２１  通知情報抽出部（処理停止手段）、２２  クロック差吸収制御部（処理停止手段）、２３  通知情報追加部（パケット送信手段）、３１  クロック比率算出部（比率算出手段）、３２  クロック差検出部（指示手段）、４１  設定受付部（設定受付手段）、４２  クロック差検出部（指示手段）。
【図１】
2005300765.tif 000003
【図２】
2005300765.tif 000004
【図３】
2005300765.tif 000005
【図４】
2005300765.tif 000006
【図５】
2005300765.tif 000007
【図６】
2005300765.tif 000008
【図７】
2005300765.tif 000009
【図８】
2005300765.tif 000010
【図９】
2005300765.tif 000011